(57)【要約】【課題】ゴルフ練習場などに敷設して使用される傾斜ゴルフマットにおいて、構造が単純で軽量化できるようにして、価格を抑え、汎用性を高める。【解決手段】この傾斜ゴルフマットは、傾斜面を有する表面部が土台の上側に着脱自在に取り付けられている。土台の上面に第１嵌合部が設けられているとともに、表面部の下面に、この第１嵌合部と嵌合する第１被嵌合部が設けられている。複数の傾斜ゴルフマットを水平方向に連結することにより、ゴルフマット集合体が組み立てられる
2015137305.tif 000002
【特許請求の範囲】
【請求項１】
傾斜面を有する表面部が土台の上側に着脱自在に取り付けられ、
前記土台の上面に第１嵌合部が設けられているとともに、前記表面部の下面に、この第１嵌合部と嵌合する第１被嵌合部が設けられていることを特徴とする傾斜ゴルフマット。
【請求項２】
前記第１嵌合部および前記第１被嵌合部は、いずれか一方が凸設されているとともに、他方が所定のピッチで複数凹設されていることを特徴とする請求項１に記載の傾斜ゴルフマット。
【請求項３】
前記表面部は、前記傾斜面を有する最表層部材と、この最表層部材の下側に位置し、下面に前記第１被嵌合部を有する楔形の中間部材とを備え、
前記中間部材の上面に第２嵌合部が設けられているとともに、前記最表層部材の下面に、この第２嵌合部と嵌合する第２被嵌合部が設けられていることを特徴とする請求項１または２に記載の傾斜ゴルフマット。
【請求項４】
前記第２嵌合部および前記第２被嵌合部は、いずれか一方が凸設されているとともに、他方が所定のピッチで複数凹設されていることを特徴とする請求項３に記載の傾斜ゴルフマット。
【請求項５】
前記第２被嵌合部は、前記第１嵌合部に嵌合するように構成され、前記第１嵌合部および前記第２被嵌合部は、いずれか一方がほぼ半球状に凸設されているとともに、他方がほぼ半球状に凹設されていることを特徴とする請求項３または４に記載の傾斜ゴルフマット。
【請求項６】
前記土台と前記表面部との間には、当該土台に対する当該表面部の高さを調整するためのボトムアップ部材が介在していることを特徴とする請求項１乃至５のいずれかに記載の傾斜ゴルフマット。
【請求項７】
前記ボトムアップ部材は、複数の支柱と、これらの支柱の上側に載置されるプレートとを備え、
前記各支柱はそれぞれ、第５嵌合部が上面に設けられているとともに、前記第１嵌合部と嵌合する第５被嵌合部が下面に設けられ、
前記プレートは、前記第１被嵌合部と嵌合する第４嵌合部が上面に設けられているとともに、前記第５嵌合部と嵌合する第４被嵌合部が下面に設けられていることを特徴とする請求項６に記載の傾斜ゴルフマット。
【請求項８】
前記ボトムアップ部材は、ほぼ直方体箱状の駆体を有し、この駆体は、前記第１被嵌合部と嵌合する第６嵌合部が上面に設けられているとともに、前記第１嵌合部と嵌合する第６被嵌合部が下面に設けられていることを特徴とする請求項６に記載の傾斜ゴルフマット。
【請求項９】
前記表面部は、最上層に天然芝を有していることを特徴とする請求項１乃至８のいずれかに記載の傾斜ゴルフマット。
【請求項１０】
請求項１乃至９のいずれかに記載の複数の傾斜ゴルフマットが水平方向に連結されていることを特徴とするゴルフマット集合体。
【発明の詳細な説明】
【技術分野】
【０００１】
本発明は、屋外または室内のゴルフ練習場や、ゴルファー（練習者）の自宅の庭や駐車場などに敷設して使用するのに好適な傾斜ゴルフマットおよびゴルフマット集合体に関するものである。
【背景技術】
【０００２】
ゴルフコースにおいては、フェアウエーであっても、平坦な場所ばかりではなく、複雑な曲面状に起伏した場所もある。これに対して、ゴルフ練習場は、多くの場合、平坦な場所しかない。したがって、このようなゴルフ練習場では、実際のゴルフコースの起伏に対応したショットやパターの練習をすることができない。【０００３】
そこで、近年、実際のゴルフコースを想定して、ゴルフ練習場に敷設するゴルフマットに傾斜を付与することが試みられている。この種のものとしては、基台フレーム上にチルト駆動部を介して打席台を前後左右に傾斜可能に設けたゴルフ練習台が提案されていた（例えば、特許文献１参照）。
【先行技術文献】
【特許文献】
【０００４】
【特許文献１】特開２０１１−６７３０３号公報
【発明の概要】
【発明が解決しようとする課題】
【０００５】
しかしながら、このようなゴルフ練習台では、打席台を傾斜させる機構として、ガイドレール、スライドカム、カム従節、傾斜状の支持部を有するチルト駆動部が必須となる。したがって、構造が複雑であることに加えて、その材料として金属を使うため重くなることから、必然的に価格も高くなり、あまり汎用性が高くないという課題があった。【０００６】
本発明は、このような事情に鑑み、実際のゴルフコースの起伏に対応したショットやパターの練習をすることができるのは勿論のこと、構造が単純で軽量化が可能であるため、廉価で汎用性が高い傾斜ゴルフマットを提供することを第１の目的とする。また、このような傾斜ゴルフマットからなるゴルフマット集合体を提供することを第２の目的とする。
【課題を解決するための手段】
【０００７】
かかる目的を達成するため、本発明に係る傾斜ゴルフマットは、傾斜面を有する表面部が土台の上側に着脱自在に取り付けられ、前記土台の上面に第１嵌合部が設けられているとともに、前記表面部の下面に、この第１嵌合部と嵌合する第１被嵌合部が設けられていることを特徴とする。【０００８】
また、本発明の傾斜ゴルフマットにおいて、前記第１嵌合部および前記第１被嵌合部は、いずれか一方が凸設されているとともに、他方が所定のピッチで複数凹設されていてもよい。【０００９】
また、本発明の傾斜ゴルフマットにおいて、前記表面部は、前記傾斜面を有する最表層部材と、この最表層部材の下側に位置し、下面に前記第１被嵌合部を有する楔形の中間部材とを備え、前記中間部材の上面に第２嵌合部が設けられているとともに、前記最表層部材の下面に、この第２嵌合部と嵌合する第２被嵌合部が設けられていてもよい。【００１０】
また、本発明の傾斜ゴルフマットにおいて、前記第２嵌合部および前記第２被嵌合部は、いずれか一方が凸設されているとともに、他方が所定のピッチで複数凹設されていてもよい。【００１１】
また、本発明の傾斜ゴルフマットにおいて、前記第２被嵌合部は、前記第１嵌合部に嵌合するように構成され、前記第１嵌合部および前記第２被嵌合部は、いずれか一方がほぼ半球状に凸設されているとともに、他方がほぼ半球状に凹設されていてもよい。【００１２】
また、本発明の傾斜ゴルフマットにおいて、前記土台と前記表面部との間には、当該土台に対する当該表面部の高さを調整するためのボトムアップ部材が介在していてもよい。【００１３】
また、本発明の傾斜ゴルフマットにおいて、前記ボトムアップ部材は、複数の支柱と、これらの支柱の上側に載置されるプレートとを備え、前記各支柱はそれぞれ、第５嵌合部が上面に設けられているとともに、前記第１嵌合部と嵌合する第５被嵌合部が下面に設けられ、前記プレートは、前記第１被嵌合部と嵌合する第４嵌合部が上面に設けられているとともに、前記第５嵌合部と嵌合する第４被嵌合部が下面に設けられていてもよい。【００１４】
また、本発明の傾斜ゴルフマットにおいて、前記ボトムアップ部材は、ほぼ直方体箱状の駆体を有し、この駆体は、前記第１被嵌合部と嵌合する第６嵌合部が上面に設けられているとともに、前記第１嵌合部と嵌合する第６被嵌合部が下面に設けられていてもよい。【００１５】
また、本発明の傾斜ゴルフマットにおいて、前記表面部は、最上層に天然芝を有していてもよい。【００１６】
さらに、本発明に係るゴルフマット集合体は、上述した複数の傾斜ゴルフマットが水平方向に連結されていることを特徴とする。
【発明の効果】
【００１７】
本発明の傾斜ゴルフマットによれば、傾斜ゴルフマットの最表層部材が傾斜面を有しているので、実際のゴルフコースの起伏に対応したショットやパターの練習をすることができるのは勿論のこと、土台の第１嵌合部と中間部材の第１被嵌合部とを嵌合させることにより、傾斜ゴルフマットを簡単に組み立てられるとともに、傾斜ゴルフマットの材料として合成樹脂などを採用することができるので、構造が単純で軽量化が可能であるため、廉価で汎用性が高い傾斜ゴルフマットを提供することが可能となる。【００１８】
また、本発明の傾斜ゴルフマットにおいて、第１嵌合部および第１被嵌合部のいずれか一方が凸設されているとともに、他方が所定のピッチで複数凹設されている構成とすることにより、土台の上側に表面部を取り付けるときに、第１嵌合部または第１被嵌合部のピッチ単位で、土台に対する表面部の取付位置を任意に調整することができる。その結果、複数の傾斜ゴルフマットを水平方向に連結してゴルフマット集合体を組み立てる際に、互いに隣接する傾斜ゴルフマットの表面部間に隙間があっても、この隙間を減らすことが可能となる。【００１９】
また、本発明の傾斜ゴルフマットにおいて、表面部が、傾斜面を有する最表層部材と、この最表層部材の下側に位置し、下面に第１被嵌合部を有する楔形の中間部材とを備え、中間部材の上面に第２嵌合部が設けられているとともに、最表層部材の下面に、この第２嵌合部と嵌合する第２被嵌合部が設けられている構成とすることにより、中間部材の第２嵌合部と最表層部材の第２被嵌合部とを嵌合させることにより、表面部を簡単に組み立てることができる。したがって、互いに異なる角度を有する複数の楔形の中間部材を用意しておき、これらの中間部材から適宜選択することにより、最表層部材、ひいては傾斜ゴルフマットに所望の傾斜を付与することが可能となる。【００２０】
また、本発明の傾斜ゴルフマットにおいて、第２嵌合部および第２被嵌合部のいずれか一方が凸設されているとともに、他方が所定のピッチで複数凹設されている構成とすることにより、中間部材の上側に最表層部材を取り付けるときに、第２嵌合部または第２被嵌合部のピッチ単位で、中間部材に対する最表層部材の取付位置を任意に調整することができる。その結果、複数の傾斜ゴルフマットを水平方向に連結してゴルフマット集合体を組み立てる際に、互いに隣接する傾斜ゴルフマットの最表層部材間に隙間があっても、この隙間を減らすことが可能となる。【００２１】
また、本発明の傾斜ゴルフマットにおいて、第２被嵌合部が第２嵌合部のみならず第１嵌合部にも嵌合するように構成され、前記第１嵌合部および前記第２被嵌合部は、いずれか一方がほぼ半球状に凸設されているとともに、他方がほぼ半球状に凹設されている構成とすることにより、土台の上面の法線方向と最表層部材の下面の法線方向とが一致しなくても、土台の第１嵌合部と最表層部材の第２被嵌合部との嵌合を支障なく行うことができる。その結果、土台、中間部材、最表層部材の３部品の積層作業が容易となり、ひいては傾斜ゴルフマットの組立作業が容易となる。【００２２】
また、本発明の傾斜ゴルフマットにおいて、土台と表面部との間にボトムアップ部材が介在している構成とすることにより、土台から表面部までの高さをボトムアップ部材の分だけ高くすることができる。その結果、複数の傾斜ゴルフマットを水平方向に連結してゴルフマット集合体を組み立てる際に、この連結箇所において、傾斜面を有する表面部の上面を滑らかに連続させることが可能となる。【００２３】
また、本発明の傾斜ゴルフマットにおいて、ボトムアップ部材が、複数の支柱と、これらの支柱の上側に載置されるプレートとを備えている構成とすることにより、ボトムアップ部材を簡素な構造で安価に構成することができる。【００２４】
また、本発明の傾斜ゴルフマットにおいて、ボトムアップ部材が、ほぼ直方体箱状の駆体を有し、この駆体は、第１被嵌合部と嵌合する第６嵌合部が上面に設けられているとともに、第１嵌合部と嵌合する第６被嵌合部が下面に設けられている構成とすることにより、軽量かつ堅牢なボトムアップ部材を実現することができる。【００２５】
また、本発明の傾斜ゴルフマットにおいて、表面部が最上層に天然芝を有している構成とすることにより、この傾斜ゴルフマットをショット台とすることにより、天然芝が植えられた実際のゴルフコースに対応したショットやパターの練習をすることができる。【００２６】
本発明のゴルフマット集合体によれば、上述した効果を奏する傾斜ゴルフマットからなるゴルフマット集合体を提供することが可能となる。
【図面の簡単な説明】
【００２７】
【図１】本発明の実施の形態１に係るゴルフマット集合体の平面図である。
【図２】図１に示すゴルフマット集合体の最表層部材の底面図である。
【図３】図１に示すゴルフマット集合体を構成する傾斜ゴルフマットの斜視図であって、（ａ）はその組立斜視図、（ｂ）はその分解斜視図である。
【図４】図３に示す傾斜ゴルフマットの分解状態の垂直断面図である。
【図５】図３に示す傾斜ゴルフマットを構成する土台の平面図である。
【図６】図３に示す傾斜ゴルフマットを構成する中間部材の平面図である。
【図７】図３に示す傾斜ゴルフマットを構成する最表層部材の図であって、（ａ）はその平面図、（ｂ）はその底面図、（ｃ）は（ｂ）のＡ−Ａ線による拡大断面図である。
【図８】同実施の形態１に係る土台同士の連結方法の一例を示す平面図である。
【図９】同実施の形態１に係る土台同士の連結方法の別の例を示す平面図である。
【図１０】本発明の実施の形態２に係るゴルフマット集合体を構成する傾斜ゴルフマットの分解状態の垂直断面図である。
【図１１】本発明の実施の形態３に係るゴルフマット集合体を構成する傾斜ゴルフマットの最表層部材の図であって、（ａ）はその平面図、（ｂ）は（ａ）のＢ−Ｂ線による断面図である。
【図１２】本発明の実施の形態４に係るゴルフマット集合体を示す図であって、（ａ）はその正面図、（ｂ）はその平面図である。
【図１３】図１２に示すゴルフマット集合体を構成する傾斜ゴルフマットの土台を示す図であって、（ａ）はその正面図、（ｂ）はその平面図、（ｃ）はその底面図である。
【図１４】図１２に示すゴルフマット集合体を構成する傾斜ゴルフマットの中間部材を示す図であって、（ａ）はその正面図、（ｂ）はその平面図、（ｃ）はその底面図である。
【図１５】図１２に示すゴルフマット集合体を構成する傾斜ゴルフマットの支柱を示す図であって、（ａ）はその正面図、（ｂ）はその平面図、（ｃ）はその底面図である。
【図１６】図１２に示すゴルフマット集合体を構成する傾斜ゴルフマットのプレートを示す図であって、（ａ）はその正面図、（ｂ）はその平面図、（ｃ）はその底面図である。
【図１７】本発明の実施の形態５に係るゴルフマット集合体を構成する傾斜ゴルフマットの要部（特徴部分）を示す図であって、（ａ）はその平面図、（ｂ）は連結支柱の拡大正面図である。
【図１８】本発明の実施の形態６に係るゴルフマット集合体の平面図である。
【図１９】同実施の形態６に係るゴルフマット集合体の土台部分を示す平面図である。
【図２０】本発明の実施の形態７に係るゴルフマット集合体を構成する傾斜ゴルフマットのボトムアップ部材の正面図である。
【図２１】同実施の形態７に係る傾斜ゴルフマットのボトムアップ部材を斜め上から見た斜視図である。
【図２２】同実施の形態７に係る傾斜ゴルフマットのボトムアップ部材を斜め下から見た斜視図である。
【図２３】同実施の形態７に係る傾斜ゴルフマットのボトムアップ部材と土台との嵌合機構を示す模式図である。
【発明を実施するための形態】
【００２８】
以下、本発明の実施の形態について説明する。
【００２９】
［発明の実施の形態１］
図１乃至図９には、本発明の実施の形態１を示す。なお、図１、図３においては、土台の連結片の図示を省略している。また、図３（ｂ）においては、丸孔３２、丸孔４２の図示を省略している。
【００３０】
実施の形態１に係るゴルフマット集合体１は、図１に示すように、２枚の傾斜ゴルフマット２が水平方向（図１上下方向）に連結されて構成されており、所定の大きさ（例えば、縦１２０ｃｍ、横６０ｃｍ、高さ２０〜５０ｃｍ）の略長方形板状を呈している。
【００３１】
各傾斜ゴルフマット２はそれぞれ、図３および図４に示すように、所定の大きさ（例えば、縦６０ｃｍ、横６０ｃｍ、高さ２０〜５０ｃｍ）の略正方形板状を呈しており、下から順に土台３、中間部材４、最表層部材５の３部品から構成されている。
【００３２】
ここで、土台３は、図４および図５に示すように、硬質の合成樹脂（例えば、ポリスチレン、ポリカーボネート、ＡＢＳ樹脂など）からなる略正方形板状の基板３１を有している。基板３１には、この基板３１を軽量化するための複数個（この実施の形態１では、３行３列の９個）の丸孔３２が、上下方向（図５紙面に直角な方向）に貫通して形成されている。また、基板３１の上面全面には複数個（この実施の形態１では、４行４列の１６個）の第１嵌合部３３が、ほぼ半球状に凸設されている。一方、基板３１の下面全面には複数個（この実施の形態１では、４行４列の１６個）の第３被嵌合部３４が、複数個の第１嵌合部３３に対応した位置に、ほぼ半球状に凹設されている。さらに、基板３１の周囲には、ほぼ台形板状の複数個（この実施の形態１では１５個）の蟻掛け形状の連結片３５が所定の間隔で配設されている。
【００３３】
なお、本発明において、「ほぼ半球状」には、完全な半球状のほか、これに近似する形状（例えば、楕円体の半分の形状など）が含まれる。
【００３４】
また、中間部材４は、図４および図６に示すように、楔形を呈しており、硬質の合成樹脂（例えば、ポリスチレン、ポリカーボネート、ＡＢＳ樹脂など）からなる本体４１を有している。本体４１には、この本体４１を軽量化するための複数個（この実施の形態１では、２行３列の６個）の丸孔４２が、上下方向（図６紙面に直角な方向）に貫通して形成されている。また、本体４１の上面には複数個（この実施の形態１では、３行４列の１２個）の第２嵌合部４３が、ほぼ半球状に凸設されている。一方、本体４１の下面には複数個（この実施の形態１では、３行４列の１２個）の第１被嵌合部４４が、複数個の第１嵌合部３３に対応した位置に、ほぼ半球状に凹設されている。これらの第１被嵌合部４４は、土台３の第１嵌合部３３に嵌合するように構成されている。
【００３５】
さらに、最表層部材５は、図２、図４および図７に示すように、硬質の合成樹脂（例えば、ポリスチレン、ポリカーボネート、ＡＢＳ樹脂など）からなる略正方形板状の基板５１を有している。基板５１の上側には、衝撃緩和用のゴムやウレタン素材などからなる略正方形板状の弾性マット５２を介して、略正方形状の人工芝５３が貼り合わされて一体化されている。また、基板５１の下面には複数個（この実施の形態１では、４行４列の１６個）の第２被嵌合部５４が、ほぼ半球状に凹設されている。これらの第２被嵌合部５４は、中間部材４の第２嵌合部４３および土台３の第１嵌合部３３に嵌合するように構成されている。さらに、最表層部材５には、図１、図２、図７（ｂ）、（ｃ）に示すように、段付き丸孔状の複数個（この実施の形態１では、２行２列の４個）のゴムティー用孔５５が、基板５１、弾性マット５２および人工芝５３を上下方向（図７（ｃ）左右方向）に貫通する形で形成されている。これらのゴムティー用孔５５には、ゴムティー（ラバーティー）５９が下方から着脱自在に取り付けられている。
【００３６】
そして、これらの３部品（土台３、中間部材４、最表層部材５）が上下方向に積層されて傾斜ゴルフマット２が組み立てられると、図３および図４に示すように、最表層部材５の上面に平面状の傾斜面Ｐが形成された状態となる。
【００３７】
なお、この傾斜ゴルフマット２は、中間部材４の傾斜角に応じて、最表層部材５の傾斜面Ｐを水平面に投影したときの長さが短くなる。したがって、複数枚（例えば、２行３列の６枚）の傾斜ゴルフマット２を水平方向に連結すると、これらの傾斜ゴルフマット２間に水平方向の隙間が生じる恐れがある。しかし、この隙間は僅かであり、ショットやパターの練習に支障を来すことはない。
【００３８】
また、傾斜ゴルフマット２の４辺のうち最高位に位置する辺に隣接して水平ゴルフマット（ここで、水平ゴルフマットとは、土台３の上側に中間部材４を介さずに最表層部材５が積層されたものを意味する。）を連続して連結するには、この水平ゴルフマットの土台３を傾斜ゴルフマット２の中間部材４の傾斜角に応じて高くすることにより、これを容易に実現することができる。例えば、最表層部材５が縦方向に傾斜している場合、中間部材４の傾斜角をθとすると、最表層部材５の縦方向の長さにtanθを乗じた値を土台３の高さの増分とする。このとき、水平ゴルフマットの土台３の連結片３５が傾斜ゴルフマット２の中間部材４と干渉する恐れがあるが、連結片３５の形状や大きさを工夫することにより、こうした干渉を避けることが十分できる。
【００３９】
或いは、このように土台３を高くすることに代えて、傾斜ゴルフマット２の中間部材４の傾斜角に応じた高さのボトムアップ部材（図示せず）を別途用意し、このボトムアップ部材を土台３と中間部材４との間に介在させることも可能である。
【００４０】
次に、このゴルフマット集合体１の敷設手順の一例について説明する。
【００４１】
まず、マット用意工程で、ゴルフマット集合体１を敷設すべき場所（ゴルフ練習場、庭、駐車場など）の広さ等に応じて、傾斜ゴルフマット２を必要な枚数（例えば、４枚）だけ用意する。
【００４２】
次に、土台載置工程に移行し、これらの傾斜ゴルフマット２の土台３を床上に所定の配置（例えば、２行２列）で並べて水平に載置し、互いに隣接する土台３において、その連結片３５同士を嵌着することにより、これらの土台３を水平方向に連結する。
【００４３】
例えば、４枚の傾斜ゴルフマット２を２行２列で水平方向に連結する場合には、図８に示すように、４枚の土台３をマトリックス状に整然と連結することもでき、また、図９に示すように、４枚の土台３を２枚ずつ水平方向（図９左右方向）に多少ずらして連結することもできる。
【００４４】
次いで、中間部材載置工程に移行し、各土台３の上側にそれぞれ中間部材４を載置する。それには、土台３の上面の第１嵌合部３３と中間部材４の下面の第１被嵌合部４４とを嵌合させるようにして、土台３の上側に中間部材４を積み重ねる。すると、土台３の上側に中間部材４が載置された状態となる。
【００４５】
このとき、傾斜ゴルフマット２は、上述したとおり、土台３の第１嵌合部３３がほぼ半球状に凸設されているとともに、中間部材４の第１被嵌合部４４がほぼ半球状に凹設されているので、土台３に対して中間部材４が水平方向に多少ずれていても、このずれが適宜修正される形で、土台３の上側の所定の位置に中間部材４を迅速かつ容易に載置することができる。
【００４６】
最後に、最表層部材載置工程に移行し、各中間部材４の上側にそれぞれ最表層部材５を載置する。それには、中間部材４の上面の第２嵌合部４３と最表層部材５の下面の第２被嵌合部５４とを嵌合させるようにして、中間部材４の上側に最表層部材５を積み重ねる。すると、中間部材４の上側に最表層部材５が載置された状態となる。
【００４７】
このとき、傾斜ゴルフマット２は、上述したとおり、中間部材４の第２嵌合部４３がほぼ半球状に凸設されているとともに、最表層部材５の第２被嵌合部５４がほぼ半球状に凹設されているので、中間部材４に対して最表層部材５が水平方向に多少ずれていても、このずれが適宜修正される形で、中間部材４の上側の所定の位置に最表層部材５を迅速かつ容易に載置することができる。
【００４８】
なお、最表層部材５の一端部（図４左端部）は、図４に示すように、楔形の中間部材４を介さずに土台３に接し、土台３の第１嵌合部３３と最表層部材５の第２被嵌合部５４とが嵌合することになる。このとき、土台３の第１嵌合部３３がほぼ半球状に凸設されているとともに、最表層部材５の第２被嵌合部５４がほぼ半球状に凹設されているので、土台３の上面の法線方向（図４矢印Ｎ１方向）と最表層部材５の下面の法線方向（図４矢印Ｎ２方向）とが一致しなくても、土台３の第１嵌合部３３と最表層部材５の第２被嵌合部５４との嵌合は支障なく行われる。
【００４９】
ここで、必要な枚数の傾斜ゴルフマット２が、土台３の連結片３５を介して水平方向に連結された状態となり、ゴルフマット集合体１の敷設が終了する。
【００５０】
このようにして敷設されたゴルフマット集合体１においてショット練習をする際には、図７（ｃ）に示すように、ゴムティー５９上にボールＢを置き、このボールＢをゴルフクラブ（図示せず）で打つ。
【００５１】
このとき、ゴルフマット集合体１を構成する傾斜ゴルフマット２は、その最表層部材５が傾斜面Ｐを有しているので、実際のゴルフコースの起伏に対応したショット練習をすることができる。無論、ボールＢを使わないでスイングの練習をすることも可能である。なお、ゴルファーは、その好みに応じて、ゴルフマット集合体１の上に立ってもよく、ゴルフマット集合体１の外側に立っても構わない。
【００５２】
また、傾斜ゴルフマット２の最表層部材５は、硬質の合成樹脂からなる基板５１の上側に弾性マット５２、つまりクッション性のある部材を介して人工芝５３が設けられた構造を有しているので、ゴルファーがゴルフマット集合体１の上に立って練習をする場合に、実際のゴルフコースのフェアウエーに立っているかのような感覚で練習をすることができる。
【００５３】
しかも、傾斜ゴルフマット２は、土台３の上面の第１嵌合部３３と中間部材４の下面の第１被嵌合部４４とを嵌合させるとともに、中間部材４の上面の第２嵌合部４３と最表層部材５の下面の第２被嵌合部５４とを嵌合させることにより、簡単に組み立てられるので、構造が単純である。また、傾斜ゴルフマット２は、その材料が合成樹脂またはゴムであるため、従来の金属製のものに比べて軽量化することができる。これらの結果、この傾斜ゴルフマット２の価格を抑え、汎用性を高めることが可能となる。
【００５４】
また、中間部材４と最表層部材５とは、第２嵌合部４３と第２被嵌合部５４とを嵌合させることにより、簡単に組み立てることができる。したがって、互いに異なる角度を有する複数の楔形の中間部材４を用意しておき、これらの中間部材４から適宜選択することにより、最表層部材５、ひいては傾斜ゴルフマット２に所望の傾斜を付与することが可能となる。
【００５５】
さらに、土台３の基板３１には、上述したとおり、上面に第１嵌合部３３が設けられているとともに、下面に第３被嵌合部３４が設けられており、これら第１嵌合部３３、第３被嵌合部３４の位置が互いに対応している。そのため、土台３、中間部材４および最表層部材５を上下方向に積層して傾斜ゴルフマット２を組み立てる際に、予め複数枚の土台３を用意し、互いに異なる土台３の第１嵌合部３３と第３被嵌合部３４とを嵌合させて、これらの土台３を上下方向に積層することにより、最表層部材５の高さ（したがって、傾斜ゴルフマット２の高さ）を任意に調整することができる。その結果、傾斜ゴルフマット２の拡張性を向上させることが可能となる。
【００５６】
また、このゴルフマット集合体１は、複数枚の傾斜ゴルフマット２が水平方向に連結されているので、ショット練習に伴う衝撃を受けて傾斜ゴルフマット２同士が離れてしまう事態の発生を未然に防ぐことが可能となる。
【００５７】
［発明の実施の形態２］
図１０には、本発明の実施の形態２を示す。
【００５８】
実施の形態２に係るゴルフマット集合体１では、図１０に示すように、傾斜ゴルフマット２の中間部材４と最表層部材５とが一体化されて表面部６を構成しているとともに、この表面部６の傾斜面Ｐが曲面状を呈している。
【００５９】
すなわち、表面部６は、図１０に示すように、硬質の合成樹脂（例えば、ポリスチレン、ポリカーボネート、ＡＢＳ樹脂など）からなる基板６１を有している。この基板６１は、下面６１ａが平坦（平面状）に形成されているとともに、上面６１ｂが波状に形成されており、厚さが徐々に増減する略正方形板状を呈している。基板６１の上側には、衝撃緩和用のゴムやウレタン素材などからなる弾性マット６２を介して、人工芝６３が貼り合わされて一体化されている。また、基板６１の下面には複数個（この実施の形態２では、４行４列の１６個）の第１被嵌合部６４が、ほぼ半球状に凹設されている。これらの第１被嵌合部６４は、土台３の第１嵌合部３３に嵌合するように構成されている。さらに、人工芝６３の上面には、曲面状（波状）の傾斜面Ｐが形成されている。
【００６０】
その他の構成については、上述した実施の形態１と基本的に同様であるので、同一の部材については、同一の符号を付してその説明を省略する。
【００６１】
したがって、この実施の形態２では、上述した実施の形態１と同じ作用効果を奏する。
【００６２】
これに加えて、上述した実施の形態１では、傾斜ゴルフマット２が３部品（土台３、中間部材４、最表層部材５）から構成されているのに対して、この実施の形態２では、傾斜ゴルフマット２が２部品（土台３、表面部６）から構成されており、傾斜ゴルフマット２の部品点数が少なくなるので、それだけ傾斜ゴルフマット２の製造コストを削減し、傾斜ゴルフマット２をますます廉価に提供することが可能となる。
【００６３】
［発明の実施の形態３］
図１１には、本発明の実施の形態３を示す。
【００６４】
実施の形態３に係るゴルフマット集合体１では、図１１に示すように、傾斜ゴルフマット２の最表層部材５のほぼ中央部に、段付き丸孔状のカップ用孔５６が上下方向に貫通して形成されている。土台３および中間部材４の構成は、上述した実施の形態１の場合と同様である。そして、土台３の丸孔３２および中間部材４の丸孔４２は、このカップ用孔５６の位置に応じてカップ用孔５６の外径より大きい直径で形成されている。また、カップ用孔５６にはカップ５７が嵌着されており、カップ５７の底部には水抜き孔（図示せず）が形成されている。さらに、カップ５７には蓋５８が上方から着脱自在に取り付けられている。この蓋５８は、合成ゴムからなる段付き円筒状の本体５８ａと、この本体５８ａの上側に貼設された円形の人工芝部５８ｂとから構成されている。
【００６５】
その他の構成については、上述した実施の形態１と基本的に同様であるので、同一の部材については、同一の符号を付してその説明を省略する。
【００６６】
したがって、この実施の形態３では、上述した実施の形態１と同じ作用効果を奏する。
【００６７】
これに加えて、この実施の形態３では、カップ５７に蓋５８を取り付けた状態で、通常のショット練習をすることができるとともに、カップ５７から蓋５８を取り外した状態で、パター（カップイン）の練習を行うことができる。また、蓋５８は、上部が低密度の人工芝部５８ｂであるとともに、下部が高密度の本体５８ａであるため、取付時の安定性に優れたものとなる。また、カップ５７の底部に水抜き孔が形成されているので、ゴルフマット集合体１を屋外で使用しても、カップ５７内に水が溜まる恐れはない。さらに、土台３の丸孔３２および中間部材４の丸孔４２が、カップ用孔５６の位置に応じてカップ用孔５６の外径より大きい直径で形成されているので、カップ５７をカップ用孔５６に嵌着するときに、このカップ５７が土台３や中間部材４に干渉する恐れはなく、カップ５７をカップ用孔５６に支障なく嵌着することができる。
【００６８】
なお、この実施の形態３では、図１１に示した構成以外を実施の形態１と同様としたが、かかる構成を実施の形態２と同様にしても構わない。
【００６９】
［発明の実施の形態４］
図１２乃至図１６には、本発明の実施の形態４を示す。
【００７０】
実施の形態４に係るゴルフマット集合体１では、図１２乃至図１６に示すように、３枚の傾斜ゴルフマット２が水平方向に連結されてゴルフマット集合体１が構成されている。そして、各傾斜ゴルフマット２においては、土台３の上面に小型の第１嵌合部３３が複数個、所定のピッチＰ１で凸設されているとともに、中間部材４の下面に小型の第１被嵌合部４４が複数個、ほぼ全面にわたって所定のピッチＰ２で凹設されている。また、中間部材４の上面に小型の第２嵌合部４３が複数個、所定のピッチＰ３で凸設されているとともに、最表層部材５の下面に小型の第２被嵌合部５４が多数個、ほぼ全面にわたって所定のピッチＰ４で凹設されている。さらに、土台３に対する中間部材４の高さを調整するため、硬質の合成樹脂（例えば、ポリスチレン、ポリカーボネート、ＡＢＳ樹脂など）からなるボトムアップ部材７が土台３と中間部材４との間に介在した傾斜ゴルフマット２が含まれている（図１２に示す３枚の傾斜ゴルフマット２のうち右側の傾斜ゴルフマット２）。
【００７１】
すなわち、土台３は、図１３に示すように、基板３１を有している。基板３１の上面には、図１３（ｂ）に示すように、１６箇所の嵌合領域Ａ１が４行４列のマトリックス状に形成されており、各嵌合領域Ａ１にはそれぞれ、２５個の小型の第１嵌合部３３が５行５列のマトリックス状に所定のピッチＰ１で凸設されている。基板３１の下面には、図１３（ｃ）に示すように、ほぼ全面にわたって多数の小型の凹部３６が所定のピッチで形成されている。
【００７２】
また、中間部材４は、図１４に示すように、本体４１を有している。本体４１の上面には、図１４（ｂ）に示すように、１６箇所の嵌合領域Ａ２が４行４列のマトリックス状に形成されており、各嵌合領域Ａ２にはそれぞれ、２５個の小型の第２嵌合部４３が５行５列のマトリックス状に所定のピッチＰ３で凸設されている。本体４１の下面には、図１４（ｃ）に示すように、ほぼ全面にわたって多数の小型の第１被嵌合部４４が所定のピッチＰ２で凹設されている。
【００７３】
さらに、最表層部材５は、図１２に示すように、基板５１を有している。基板５１の下面には、図１２（ｂ）に示すように、ほぼ全面にわたって多数の小型の第２被嵌合部５４が所定のピッチＰ４で凹設されている。
【００７４】
また、ボトムアップ部材７は、１６個の支柱８と、これらの支柱８の上側に載置されるプレート９とから構成されている。ここで、各支柱８はそれぞれ、図１５に示すように、略四角柱状の支柱本体８１を有している。支柱本体８１の上面には、図１５（ａ）、（ｂ）に示すように、２５個の小型の第５嵌合部８２が５行５列のマトリックス状に所定のピッチＰ５で凸設されている。支柱本体８１の下面には、図１５（ｃ）に示すように、２５個の小型の第５被嵌合部８３が、第５嵌合部８２に対応して５行５列のマトリックス状に所定のピッチＰ６で凹設されている。
【００７５】
一方、プレート９は、図１６に示すように、平板状のプレート基板９１を有している。プレート基板９１には、このプレート基板９１を軽量化するための複数個の丸孔９４が、上下方向（図１６（ｂ）紙面に直角な方向）に貫通して形成されている。プレート基板９１の上面には、図１６（ｂ）に示すように、１６箇所の嵌合領域Ａ３が４行４列のマトリックス状に形成されており、各嵌合領域Ａ３にはそれぞれ、２５個の小型の第４嵌合部９２が５行５列のマトリックス状に所定のピッチＰ７で凸設されている。プレート基板９１の下面には、図１６（ｃ）に示すように、ほぼ全面にわたって多数の小型の第４被嵌合部９３が所定のピッチＰ８で凹設されている。
【００７６】
なお、第１嵌合部３３のピッチＰ１、第１被嵌合部４４のピッチＰ２、第５被嵌合部８３のピッチＰ６、第４嵌合部９２のピッチＰ７は、すべて等しくなっている（Ｐ１＝Ｐ２＝Ｐ６＝Ｐ７）。また、第２嵌合部４３のピッチＰ３と第２被嵌合部５４のピッチＰ４とは等しくなっている（Ｐ３＝Ｐ４）。さらに、第５嵌合部８２のピッチＰ５と第４被嵌合部９３のピッチＰ８とは等しくなっている（Ｐ５＝Ｐ８）。
【００７７】
その他の構成については、上述した実施の形態１と基本的に同様であるので、同一の部材については、同一の符号を付してその説明を省略する。
【００７８】
したがって、この実施の形態４では、上述した実施の形態１と同じ作用効果を奏する。
【００７９】
これに加えて、この実施の形態４では、土台３と中間部材４との間にボトムアップ部材７が介在しているので、土台３から中間部材４までの高さをボトムアップ部材７の分だけ高くすることができる。その結果、複数の傾斜ゴルフマット２を水平方向に連結してゴルフマット集合体１を組み立てる際に、この連結箇所において、傾斜面を有する最表層部材５の上面を滑らかに連続させることが可能となる。しかも、このボトムアップ部材７は、複数の支柱８と、これらの支柱８の上側に載置されるプレート９とを備えているため、ボトムアップ部材７を簡素な構造で安価に構成することができる。
【００８０】
また、この実施の形態４では、ボトムアップ部材７のプレート９の上面に第４嵌合部９２が凸設されているとともに、中間部材４の下面に複数個の第１被嵌合部４４が所定のピッチＰ２で凹設されているので、ボトムアップ部材７の上側に中間部材４を取り付けるときに、第１被嵌合部４４のピッチＰ２単位で、ボトムアップ部材７に対する中間部材４の取付位置を任意に調整することができる。その結果、複数の傾斜ゴルフマット２を水平方向に連結してゴルフマット集合体１を組み立てる際に、互いに隣接する傾斜ゴルフマット２の最表層部材５間に隙間があっても、この隙間を減らすことが可能となる。
【００８１】
さらに、この実施の形態４では、中間部材４の上面に第２嵌合部４３が凸設されているとともに、最表層部材５の下面に複数個の第２被嵌合部５４が所定のピッチＰ４で凹設されているので、中間部材４の上側に最表層部材５を取り付けるときに、第２被嵌合部５４のピッチＰ４単位で、中間部材４に対する最表層部材５の取付位置を任意に調整することができる。その結果、複数の傾斜ゴルフマット２を水平方向に連結してゴルフマット集合体１を組み立てる際に、互いに隣接する傾斜ゴルフマット２の最表層部材５間に隙間があっても、この隙間を減らすことが可能となる。
【００８２】
なお、この実施の形態４では、図１２乃至図１６に示した構成以外を実施の形態１と同様としたが、これら図１２乃至図１６に示した構成以外を実施の形態２または３と同様にしてもよく、さらに、実施の形態２に示した構成と実施の形態３に示した構成とを任意に組み合わせたものと同様にしても構わない。
【００８３】
［発明の実施の形態５］
図１７には、本発明の実施の形態５を示す。
【００８４】
実施の形態５に係るゴルフマット集合体１では、図１７に示すように、傾斜ゴルフマット２のボトムアップ部材７において、硬質の合成樹脂（例えば、ポリスチレン、ポリカーボネート、ＡＢＳ樹脂など）からなる複数個（この実施の形態５では、４個、７個、１０個）の円柱状の水平連結材１０が、複数個（この実施の形態５では、４個、６個、８個）の支柱８を水平方向に連結する形で、これらの支柱８に一体に取り付けられることにより、支柱８および水平連結材１０からなる複数個（この実施の形態５では、５個）の連結支柱１１を構成している。
【００８５】
その他の構成については、上述した実施の形態４と基本的に同様であるので、同一の部材については、同一の符号を付してその説明を省略する。
【００８６】
したがって、この実施の形態５では、上述した実施の形態４と同じ作用効果を奏する。
【００８７】
これに加えて、この実施の形態５では、上述したとおり、ボトムアップ部材７を構成する複数個の支柱８が複数個の水平連結材１０で連結されているので、これらの支柱８の安定性（座り）が格段に向上する。その結果、ゴルフマット集合体１においてゴルファーがショットの練習を繰り返すうちに支柱８が崩れてしまう事態の発生を未然に防ぐことが可能となる。
【００８８】
なお、この実施の形態５は、図１７に示した構成以外を実施の形態１乃至３のいずれかと同様としてもよく、これら実施の形態１乃至３で示した構成を任意に組み合わせたものと同様としても構わない。さらに、この実施の形態５に係るボトムアップ部材７と、上述の実施の形態４に係る構成（図１２乃至図１６参照）のボトムアップ部材７とを組み合わせて使用してもよい。
【００８９】
［発明の実施の形態６］
図１８および図１９には、本発明の実施の形態６を示す。
【００９０】
実施の形態６に係るゴルフマット集合体１では、図１８および図１９に示すように、４枚の土台３が２行２列で水平方向に連結されており、これらの土台３の上側には、６枚の最表層部材５（５Ａ、５Ｂ）が着脱自在に取り付けられている。
【００９１】
ここで、６枚の最表層部材５のうち、２枚の最表層部材５（図１８左側に位置する最表層部材５Ａ）は土台３とほぼ同じ大きさに形成されており、残り４枚の最表層部材５（図１８右側に位置する傾斜ゴルフマット５Ａ、５Ｂ）はその半分の大きさに形成されている。また、６枚の最表層部材５のうち、５枚の最表層部材５Ａは、上述した実施の形態１と同様、最上層に人工芝５３を有しているのに対して、残り１枚の最表層部材５Ｂは、最上層に天然芝５０を有している。
【００９２】
その他の構成については、上述した実施の形態１と基本的に同様であるので、同一の部材については、同一の符号を付してその説明を省略する。
【００９３】
したがって、この実施の形態６では、上述した実施の形態１と同じ作用効果を奏する。
【００９４】
これに加えて、この実施の形態６では、上述したとおり、最表層部材５Ｂの最上層に天然芝５０を有しているので、この最表層部材５Ｂをショット台とすること（この最表層部材５Ｂの上にボールを置いて打球すること）により、天然芝が植えられた実際のゴルフコースに対応したショットやパターの練習をすることができる。
【００９５】
また、この実施の形態６では、上述したとおり、６枚の最表層部材５の一部が残部の半分の大きさに形成されているので、ゴルフマット集合体１全体の起伏を細かく設定することができ、様々な状況でショットやパターの練習をすることが可能となる。例えば、爪先上がり、爪先下がり、左足上がり、左足下がり等のスタンスばかりでなく、スタンスの左右が異なるコンディションでショット練習をすることができる。また、ショット台を小さく区切って傾斜をつけることにより、スタンスの傾斜と異なるコンディションを調整することも可能である。
【００９６】
なお、この実施の形態６では、図１８および図１９に示した構成以外を実施の形態１と同様としたが、これら図１８および図１９に示した構成以外を実施の形態２または３と同様にしてもよい。さらに、図１８および図１９に示した構成以外を実施の形態２乃至５で示した構成の一部または全部を任意に組み合わせたものと同様にしても構わない。
【００９７】
［発明の実施の形態７］
図２０乃至図２３には、本発明の実施の形態７を示す。
【００９８】
実施の形態７に係るゴルフマット集合体１では、図２０〜図２２に示すように、傾斜ゴルフマット２のボトムアップ部材７が直方体箱状の一体物から構成されている。その他の構成については、上述した実施の形態４と基本的に同様である。
【００９９】
すなわち、このボトムアップ部材７は、硬質の合成樹脂（例えば、ポリスチレン、ポリカーボネート、ＡＢＳ樹脂など）からほぼ直方体（直六面体）箱状に形成された駆体７１を有しており、駆体７１は、上面７１ａ、底面７１ｂ、前面７１ｃ、背面７１ｄ、左側面７１ｅ、右側面７１ｆの６つの面から構成されている。
【０１００】
駆体７１の上面７１ａには、図２１に示すように、６箇所の嵌合領域Ａ４が２行３列のマトリックス状に形成されており、各嵌合領域Ａ４にはそれぞれ、９個の小型の第６嵌合部７３が３行３列のマトリックス状に所定のピッチで凸設されている。これらの第６嵌合部７３は、中間部材４の第１被嵌合部４４に嵌合するように構成されている。さらに、上面７１ａには、駆体７１を軽量化するための１個以上（この実施の形態７では、３個）の丸孔７２が、上下方向（図２０上下方向）に貫通して形成されている。
【０１０１】
駆体７１の底面７１ｂには、図２２に示すように、６箇所の被嵌合領域Ａ５が２行３列のマトリックス状に形成されており、各被嵌合領域Ａ５にはそれぞれ、６４個の円筒状の第６被嵌合部７４が８行８列のマトリックス状に所定のピッチで凸設されている。これらの第６被嵌合部７４は、図２３に示すように、土台３の第１嵌合部３３が４つの第６被嵌合部７４の隙間にはまり込んで、これらの第６被嵌合部７４を弾性的に若干凹ませるようにして、両者が互いに強固に嵌合するように構成されている。
【０１０２】
駆体７１の前面７１ｃには、図２０〜図２２に示すように、駆体７１を軽量化するための１個以上（この実施の形態７では、３個）の角孔７５が、水平方向（図２０紙面に直角な方向）に貫通して形成されている。駆体７１の背面７１ｄには、駆体７１を軽量化するための１個以上（この実施の形態７では、３個）の角孔７６が、角孔７５に対抗する位置に水平方向（図２０紙面に直角な方向）に貫通して形成されている。駆体７１の左側面７１ｅには、図２１に示すように、駆体７１を軽量化するための１個以上（この実施の形態７では、１個）の角孔７７が、水平方向（図２０左右方向）に貫通して形成されている。駆体７１の右側面７１ｆには、駆体７１を軽量化するための１個以上（この実施の形態７では、１個）の角孔７８が、角孔７７に対抗する位置に水平方向（図２０左右方向）に貫通して形成されている。
【０１０３】
さらに、駆体７１の内部には、図２１および図２２に示すように、補強リブ７９が駆体７１の内周面に沿って駆体７１と一体に形成されている。
【０１０４】
したがって、この実施の形態７では、上述した実施の形態４と同じ作用効果を奏する。
【０１０５】
これに加えて、この実施の形態７では、上述したとおり、ボトムアップ部材７が直方体箱状の一体物であるため、軽量かつ堅牢なものとなり、ゴルフマット集合体１においてゴルファーがショットの練習を繰り返すうちに損壊してしまう事態の発生を未然に防ぐことが可能となる。
【０１０６】
また、この実施の形態７では、上述したとおり、土台３の第１嵌合部３３とボトムアップ部材７の第６被嵌合部７４とが互いに強固に嵌合しているので、ゴルフマット集合体１においてゴルファーがショットの練習を繰り返しても、ボトムアップ部材７が土台３から容易に脱落することはない。
【０１０７】
なお、この実施の形態７は、図２０乃至図２３に示した構成以外を実施の形態１乃至３のいずれかと同様としてもよい。また、図２０乃至図２３に示した構成以外を実施の形態１乃至６で示した構成の一部または全部を任意に組み合わせたものと同様にしても構わない。
【０１０８】
［発明のその他の実施の形態］
なお、上述した実施の形態１、３〜６では、土台３の第１嵌合部３３が凸設されているとともに、中間部材４の第１被嵌合部４４が凹設されている傾斜ゴルフマット２について説明した。しかし、この凹凸を逆転して、土台３の第１嵌合部３３を凹設するとともに、中間部材４の第１被嵌合部４４を凸設するようにしてもよい。
【０１０９】
また、上述した実施の形態１、３〜６では、中間部材４の第２嵌合部４３が凸設されているとともに、最表層部材５の第２被嵌合部５４が凹設されている傾斜ゴルフマット２について説明した。しかし、この凹凸を逆転して、中間部材４の第２嵌合部４３を凹設するとともに、最表層部材５の第２被嵌合部５４を凸設するようにしてもよい。
【０１１０】
また、上述した実施の形態１、３〜６では、最表層部材５の傾斜面Ｐが傾斜ゴルフマット２の一辺に沿った方向（図４左右方向）に傾斜した傾斜ゴルフマット２について説明したが、この傾斜面Ｐの傾斜方向は特に限定されない。例えば、傾斜ゴルフマット２のこの一辺に直角な辺に沿った方向（図４紙面に直角な方向）に傾斜してもよい。また、傾斜ゴルフマット２の対角線方向に傾斜しても構わない。
【０１１１】
また、上述した実施の形態２では、表面部６の傾斜面Ｐが傾斜ゴルフマット２の一辺に沿った方向（図１０左右方向）に傾斜した傾斜ゴルフマット２について説明したが、この傾斜面Ｐの傾斜方向は特に限定されない。例えば、傾斜ゴルフマット２のこの一辺に直角な辺に沿った方向（図１０紙面に直角な方向）に傾斜してもよい。また、傾斜ゴルフマット２の対角線方向に傾斜しても構わない。
【０１１２】
また、上述した実施の形態１、３〜６では、土台３の第１嵌合部３３および中間部材４の第１被嵌合部４４がほぼ半球状である傾斜ゴルフマット２について説明した。しかし、第１嵌合部３３と第１被嵌合部４４とが嵌合しうるものである限り、ほぼ半球状以外の形状（例えば、円錐状、角錐状など）であってもよい。また、中間部材４の第２嵌合部４３および最表層部材５の第２被嵌合部５４がほぼ半球状である傾斜ゴルフマット２について説明した。しかし、第２嵌合部４３と第２被嵌合部５４とが嵌合しうるものである限り、ほぼ半球状以外の形状（例えば、円錐状、角錐状など）であってもよい。
【０１１３】
また、上述した実施の形態２では、土台３の第１嵌合部３３および表面部６の第１被嵌合部６４がほぼ半球状である傾斜ゴルフマット２について説明した。しかし、第１嵌合部３３と第１被嵌合部６４とが嵌合しうるものである限り、ほぼ半球状以外の形状（例えば、円錐状、角錐状など）であってもよい。
【０１１４】
また、上述した実施の形態１、３〜６では、最表層部材５の傾斜面Ｐが平面状である傾斜ゴルフマット２について説明したが、この傾斜面Ｐは曲面状であっても構わない。
【０１１５】
また、上述した実施の形態２では、表面部６の傾斜面Ｐが曲面状である傾斜ゴルフマット２について説明したが、この傾斜面Ｐは平面状であっても構わない。
【０１１６】
また、上述した実施の形態１、３〜５では、土台３と最表層部材５との間に挿入する中間部材４を１個としたが、この中間部材４を複数個（２個以上）とすることもできる。この場合、急傾斜の傾斜面Ｐを実現したり、傾斜面Ｐの傾斜方向を変更したりすることが可能となる。
【０１１７】
また、上述した実施の形態１〜６では、傾斜ゴルフマット２の最表層部材５に４個のゴムティー用孔５５が形成されている場合について説明した。しかし、このゴムティー用孔５５の個数は、４個に限るわけではなく、例えば６個でも構わない。或いはまた、ゴムティー用孔５５に代えてボール載置用くぼみ（図示せず）を最表層部材５（表面部６）の上面に形成することもできる。この場合、傾斜ゴルフマット２の最表層部材５が傾斜していても、このボール載置用くぼみにボールＢを置くことにより、ショット練習を支障なく行うことが可能となる。
【０１１８】
また、上述した実施の形態１、３〜５では、傾斜ゴルフマット２の最表層部材５が、基板５１、弾性マット５２および人工芝５３からなる３層構造のものである場合について説明した。しかし、この最表層部材５の構造は、こうような３層構造に限るわけではなく、例えば、弾性マット５２および人工芝５３からなる２層構造のものでも構わない。
【０１１９】
また、上述した実施の形態１、３、６では、最上層に人工芝５３を有する傾斜ゴルフマット２について説明し、上述した実施の形態２では、表面部６の最上層に人工芝６３を有する傾斜ゴルフマット２について説明した。しかし、これらの人工芝５３、６３に代えて各種の起毛素材（図示せず）を用いることも勿論できる。
【０１２０】
また、上述した実施の形態１〜６では、硬質の合成樹脂からなる土台３について説明したが、土台３の材料は硬質の合成樹脂に限るわけではない。例えば、ゴム製のマットや木製の床材を土台３として用いることも可能である。
【０１２１】
また、上述した実施の形態１〜６では、ゴルフマット集合体１を構成する複数枚の傾斜ゴルフマット２を水平方向に連結するための連結片３５が土台３に設けられている場合ついて説明したが、傾斜ゴルフマット２の設置状況その他の条件によっては、この連結片３５を省くこともできる。例えば、土台３がゴム製のマットまたは絨毯であり、土台３を載置する床に対する土台３の摩擦係数が大きい場合や、傾斜ゴルフマット２のサイズが大きい場合（例えば、縦９０ｃｍ、横９０ｃｍ）には、土台３を載置する床と土台３との摩擦力が増大するので、必ずしも連結片３５を介して複数枚の傾斜ゴルフマット２を連結する必要はないと考えられる。
【０１２２】
また、上述した実施の形態３では、最表層部材５のほぼ中央部にカップ用孔５６が形成された傾斜ゴルフマット２について説明したが、このカップ用孔５６の位置は、最表層部材５のほぼ中央部に限るわけではなく、例えば、最表層部材５の隅角部の近傍であっても構わない。さらに、このカップ用孔５６の個数は、１つに限らず、複数（２つ以上）であってもよい。
【０１２３】
また、上述した実施の形態４、５では、土台３の嵌合領域Ａ１にのみ第１嵌合部３３が設けられ、中間部材４の嵌合領域Ａ２にのみ第２嵌合部４３が設けられ、プレート９の嵌合領域Ａ３にのみ第４嵌合部９２が設けられている傾斜ゴルフマット２について説明した。しかし、第１嵌合部３３は、丸孔３２を除いて基板３１の上面全面に設けてもよい。また、第２嵌合部４３は、丸孔４２を除いて本体４１の上面全面に設けても構わない。さらに、第４嵌合部９２は、丸孔９４を除いてプレート基板９１の上面全面に設けてもよい。
【０１２４】
また、上述した実施の形態５では、４個、６個、８個の支柱８が水平連結材１０で連結されている連結支柱１１について説明したが、水平連結材１０で連結する支柱８の数は、４個、６個、８個に限定されるわけではない。
【０１２５】
また、上述した実施の形態６では、６枚の最表層部材５のうち、１枚の最表層部材５Ｂのみが、最上層に天然芝５０を有している場合について説明した。しかし、最上層に天然芝５０を有する最表層部材５の枚数を適宜増減することにより、フェアウエー用やラフ用など様々な種類のコンディションを用意することも可能である。
【０１２６】
また、上述した実施の形態１〜３では、２枚の傾斜ゴルフマット２が水平方向に連結されてゴルフマット集合体１が構成されている場合について説明し、上述した実施の形態４、５では、３枚の傾斜ゴルフマット２が水平方向に連結されてゴルフマット集合体１が構成されている場合について説明した。しかし、ゴルフマット集合体１を構成する傾斜ゴルフマット２の枚数は、２枚、３枚に限るわけではなく、１枚または４枚以上でもよい。
【０１２７】
さらに、上述した実施の形態６では、４枚の土台３および６枚の最表層部材５を有するゴルフマット集合体１について説明したが、土台３や最表層部材５の枚数は特に限定されるものではない。
【０１２８】
また、上述した実施の形態７では、ほぼ直方体箱状の駆体７１を有するボトムアップ部材７を備えた傾斜ゴルフマット２について説明したが、ボトムアップ部材７に要求される強度に応じて、このボトムアップ部材７の駆体７１の内部に補強用の仕切板（図示せず）を適当な間隔で立設して補強することも可能である。
【０１２９】
また、上述した実施の形態７では、土台３の第１嵌合部３３がボトムアップ部材７の４つの第６被嵌合部７４の隙間にはまり込んで、これらの第６被嵌合部７４を弾性的に若干凹ませるようにして、両者が互いに強固に嵌合する嵌合機構（図２３参照）を具備する傾斜ゴルフマット２について説明したが、このような嵌合機構をボトムアップ部材７と中間部材４との嵌合または中間部材４と最表層部材５との嵌合に適用することも勿論できる。
【産業上の利用可能性】
【０１３０】
本発明は、屋外または室内のゴルフ練習場のほか、ゴルファーの自宅の庭や駐車場などにおいて、ゴルフのショットやパターの練習をする際にも適用することができる。
【符号の説明】
【０１３１】
１……ゴルフマット集合体
２……傾斜ゴルフマット
３……土台
４……中間部材
５……最表層部材
６……表面部
７……ボトムアップ部材
８……支柱
９……プレート
３３……第１嵌合部
３４……第３被嵌合部
４３……第２嵌合部
４４……第１被嵌合部
５０……天然芝
５４……第２被嵌合部
６４……第１被嵌合部
７１……駆体
７３……第６嵌合部
７４……第６被嵌合部
８２……第５嵌合部
８３……第５被嵌合部
９２……第４嵌合部
９３……第４被嵌合部
Ｐ……傾斜面
Ｐ１〜Ｐ８……ピッチ
【図１】
2015137305.tif 000003
【図２】
2015137305.tif 000004
【図３】
2015137305.tif 000005
【図４】
2015137305.tif 000006
【図５】
2015137305.tif 000007
【図６】
2015137305.tif 000008
【図７】
2015137305.tif 000009
【図８】
2015137305.tif 000010
【図９】
2015137305.tif 000011
【図１０】
2015137305.tif 000012
【図１１】
2015137305.tif 000013
【図１２】
2015137305.tif 000014
【図１３】
2015137305.tif 000015
【図１４】
2015137305.tif 000016
【図１５】
2015137305.tif 000017
【図１６】
2015137305.tif 000018
【図１７】
2015137305.tif 000019
【図１８】
2015137305.tif 000020
【図１９】
2015137305.tif 000021
【図２０】
2015137305.tif 000022
【図２１】
2015137305.tif 000023
【図２２】
2015137305.tif 000024
【図２３】
2015137305.tif 000025
【国際調査報告】
2015137305.tif 000026
2015137305.tif 000027
2015137305.tif 000028
2015137305.tif 000029